(57)【要約】      （修正有）【課題】高い気密性を有し、例えば飼料用米に水分や糖蜜、乳酸菌を添加して嫌気性発酵を行うのに好適で、フォークリフト等による把持、載置の安定性の高いサイロ、及びサイロシステムを提供する。【解決手段】サイロ２０は、上部開口の容器本体２３と、容器本体２３の上端縁部分に一体成型された所定の突出形状を含む嵌合部２１を含み容器本体２３の側面より突出した突出部３１と、容器本体２３の下方に設けられ容器本体２３の内部の空気と水分の少なくともいずれかを外部に排出するための下方排出部２２と、を備えている。【選択図】図４
0003197813.tif 000002
【実用新案登録請求の範囲】
【請求項１】
上部開口で中空の容器本体と、
上記容器本体の上端縁部分に一体成型された所定の突出形状を含む嵌合部をその一部に有し、上記容器本体の側面より大きな内径で側面より突出した突出部と、
上記容器本体の下方に設けられ上記容器本体の内部の空気と水分の少なくともいずれかを外部に排出するための下方排出部と、
を備え、
上記嵌合部は、上記容器本体の上端縁部分において、上記容器本体の側面部よりも外周方向に突出した第１及び第２突出部と、上記第１突出部から外周方向に底面に平行に延びた第１延出部と、上記第２突出部から外周方向に底面に平行に延びた第２延出部と、上記第１延出部及び上記第２延出部に接続された円弧状周面部と、からなる
サイロ。
【請求項２】
上部開口で中空の容器本体と、
上記容器本体の上端縁部分に一体成型された所定の突出形状を含む嵌合部と、
上記容器本体の下方に設けられ上記容器本体の内部の空気と水分の少なくともいずれかを外部に排出するための下方排出部と、
上記容器本体の側面において容器本体の内部に向けて凹んだ形状の係止部と、
を備え、
上記嵌合部は、上記容器本体の上端縁部分において、上記容器本体の側面部よりも外周方向に突出した第１及び第２突出部と、上記第１突出部から外周方向に底面に平行に延びた第１延出部と、上記第２突出部から外周方向に底面に平行に延びた第２延出部と、上記第１延出部及び上記第２延出部に接続された円弧状周面部と、からなる
サイロ。
【請求項３】
上部開口で中空の容器本体と、
上記容器本体の上端縁部分に一体成型された所定の突出形状を含む嵌合部をその一部に有し、上記容器本体の側面より大きな内径で側面より突出した突出部と、
上記容器本体の下方に設けられ上記容器本体の内部の空気と水分の少なくともいずれかを外部に排出するための下方排出部と、
上記容器本体の底面において容器本体の内部に向けて凹んだ形状の２つの下面凹部と、
を備え、
上記嵌合部は、上記容器本体の上端縁部分において、上記容器本体の側面部よりも外周方向に突出した第１及び第２突出部と、上記第１突出部から外周方向に底面に平行に延びた第１延出部と、上記第２突出部から外周方向に底面に平行に延びた第２延出部と、上記第１延出部及び上記第２延出部に接続された円弧状周面部と、からなる
サイロ。
【請求項４】
請求項１乃至３のいずれか１項に記載のサイロと、
上記サイロの上面を覆うのに十分な面積のシート部材と、
円筒形状で中空で長手方向に切り込みが入れられた嵌合保持部材と、からなり、
上記サイロの上面を覆うように上記シート部材を被せ、当該シート部材を介して、上記サイロの上記嵌合部に上記嵌合保持部材を嵌合させ、上記サイロを密封する
サイロシステム。
【請求項５】
上記嵌合後に、上記嵌合保持部材の端と端とを固定する固定部材を更に有する
請求項４に記載のサイロシステム。
【考案の詳細な説明】
【技術分野】
【０００１】
本考案は、例えば飼料用米等のサイレージを製造するのに用いられるサイロ、及びサイロシステムに関する。
【背景技術】
【０００２】
従来、飼料用米をサイレージ化するために、水分や糖蜜、乳酸菌を添加して嫌気性発酵を行うときには、所謂フレコンバッグが用いられていた。このフレコンバッグは、その外装が繊維でできているのが一般的であった。
【０００３】
ここで、サイレージ、及びその調整方法において、サイロを用いることを開示したものもある（例えば特許文献１参照）。
【先行技術文献】
【特許文献】
【０００４】
【特許文献１】特開２００８―５８３３号公報
【考案の概要】
【考案が解決しようとする課題】
【０００５】
しかしながら、上記フレコンバッグを用いた従来技術では、バッグ内部に水が溜まって最後に取り出すサイレージは腐敗が早いことが問題となっていた。さらに、飼料用作物等の保管の途中に、ネズミやカラス等がバッグ表面を破損させることにより内部に空気が入ってしまい、飼料用作物等の腐敗が進むことがあった。そして、上記従来技術では、一度密封した後に、再度密封することが困難であった。
【０００６】
また、特許文献１では、サイロの具体的な構成については開示されていない。
【０００７】
さらに、サイロは、例えばロールグラブを備えたフォークリフトの当該ロールグラブで把持されて移動されたりするが、飼料用作物等が中に入れられたサイロは重量が重くなるため、ロールグラブの把持位置がずれて移動中に落下するおそれもあった。同様に、２本のフォークを備えたフォークリフトでサイロを持ち上げて移動させる場合、平坦な底面の２か所にフォークを差し入れて持ち上げることになるが、左右のバランスが悪いと移動中にフォークからサイロがずれて落下するおそれがあった。
【０００８】
本考案は、このような課題に鑑みてなされたものであり、高い気密性を有し、例えば飼料用米に水分や糖蜜、乳酸菌を添加して嫌気性発酵を行うのに好適なサイロ、及びサイロシステムを提供することを目的とする。さらには、フォークリフト等による移動中に把持位置等がずれて落下することを防止するサイロ、及びサイロシステムを提供することを更なる目的とする。
【課題を解決するための手段】
【０００９】
上記課題を解決するため、本考案の一態様に係るサイロは、上部開口で中空の容器本体と、上記容器本体の上端縁部分に一体成型された所定の突出形状を含む嵌合部をその一部に有し、上記容器本体の側面より大きな内径で側面より突出した突出部と、上記容器本体の下方に設けられ上記容器本体の内部の空気と水分の少なくともいずれかを外部に排出するための下方排出部と、を備え、上記嵌合部は、上記容器本体の上端縁部分において、上記容器本体の側面部よりも外周方向に突出した第１及び第２突出部と、上記第１突出部から外周方向に底面に平行に延びた第１延出部と、上記第２突出部から外周方向に底面に平行に延びた第２延出部と、上記第１延出部及び上記第２延出部に接続された円弧状周面部と、からなる。
【考案の効果】
【００１０】
本考案によれば、高い気密性を有し、例えば飼料用米に水分や糖蜜、乳酸菌を添加して嫌気性発酵を行うのに好適なサイロ、及びサイロシステムを提供することができる。さらには、フォークリフト等による移動中に把持位置等がずれて落下することを防止するサイロ、及びサイロシステムを提供することができる。
【図面の簡単な説明】
【００１１】
【図１】（ａ）乃至（ｃ）は、本考案の第１実施形態に係るサイロの構成図である。
【図２】（ａ）及び（ｂ）は、サイロにシートを取り付ける様子を示す図である。
【図３】第１実施形態に係るサイロを用いたサイレージの製造工程を示すフローチャートである。
【図４】第２実施形態に係るサイロの構成図である。
【図５】第３実施形態に係るサイロの構成図である。
【図６】第４実施形態に係るサイロの構成図である。
【考案を実施するための形態】
【００１２】
以下、図面を参照して、本考案の第１乃至第４実施形態について説明する。
【００１３】
この第１乃至第４実施形態に係るサイロは、飼料用作物のサイレージ化のために使用される容器であって、飼料用米等の飼料用作物に水分や糖蜜、乳酸菌を添加して嫌気性発酵を行うために従来に比べて気密性を一層高めたものとなっている。ここで、「サイレージ」とは、飼料用作物をサイロ内で乳酸発酵させて貯蔵した飼料をいう。そして、この実施形態に係るサイロシステムとは、サイロ、シート部材、固定部材としてのクリップを組み合わせたものとなっている。以下、各実施形態につき詳述する。
【００１４】
＜第１実施形態＞
図１には本考案の第１実施形態に係るサイロの構成を示し説明する。より具体的には、図１（ａ）は当該サイロの全体構成を示し、図１（ｂ）は図１（ａ）の領域Ａの拡大図に相当し、当該サイロの嵌合部の断面構成を示し、図１（ｃ）は当該サイロの下方排出部の断面構成を示している。
【００１５】
図１（ａ）に示されるように、サイロ１の容器本体２は、円錐台を上下逆にした全体形状を呈しており、上部開口で側面及び底面を有し内部は中空となっている。この容器本体２の上端縁部分には、所定の突出形状を含む嵌合部３が形成されている。更に、容器本体２の下方には、サイロ内部の不要な空気や水を排出するための下方排出部１０が形成されている。これら嵌合部３や下方排出部１０は、容器本体２と一体成型されている。
【００１６】
そして、図１（ｂ）に示されるように、容器本体２の上端縁部分において周回するように形成された嵌合部３は、詳細には次のような構成となっている。即ち、容器本体２の上端縁部分において、側面部４よりも外周方向に突出した第１突出部５、第２突出部６が形成されている。そして、第１突出部５から外周方向に底面に平行に延びた第１延出部７の外端部分が略円弧状の周面を形成する円弧状周面部９の一端に接続され、第２突出部６から外周方向に底面に平行に延びた第２延出部８の外端部分が当該円弧状周面部９の他端に接続されている。このような関係で、第１突出部５、第１延出部７、円弧状周面部９、第２延出部８、第２突出部６が連続して、突出形状を含む嵌合部３を形成する。この嵌合部３には、その詳細は後述するが、シート部材を間に介在させて、嵌合保持部材、更には固定部材が取り付けられることになる。
【００１７】
さらに、図１（ｃ）に示されるように、サイロ１の容器本体２の下方に形成されたサイロ内部の不要な空気や水分を排出するための下方排出部１０は、詳細には次のような構成となっている。即ち、容器本体２の下方には、容器本体２の内部に向けて所定形状に凹んだ下方排出部１０が設けられている。この凹んだ凹部側面部１１は、側面部４に平行であり、その略中央部から円筒状に突出した突出部１２が設けられている。この突出部１２が中空であり、容器本体２の内部と導通していている。そして、この突出部１２には、円筒形状で一端が平面で閉ざされた蓋部材１４が嵌合される。この突出部１２に蓋部材１４が嵌合されるときは、容器本体２の内部から水分や空気が漏れることはない。一方、突出部１２から蓋部材１４を外せば、容器本体２の内部と突出部１２は導通しているので、容器本体２の内部の不要な水分や空気を外部に排出することができる。
【００１８】
次に図２には本考案の第１実施形態に係るサイロシステムの構成を示し説明する。より詳細には、図２（ａ）にはサイロ１の上面を覆うようにシート部材１５を取り付ける前の様子を示し、図２（ｂ）にはサイロ１の上面を覆うようにシート部材１５を取り付けた様子を示し説明する。
【００１９】
図２（ａ）に示されるように、飼料用作物等を収容したサイロ１の上面には、シート部材１５が被覆される。そして、被覆したシート部材１５の上から、円筒状で長手方向に端から端まで切込みが入れられた断面が所謂Ｃ形状の嵌合保持部材１６がサイロ１の円弧状周面部９に嵌合される。嵌合保持部材１６の嵌合が解除されないようにするため、嵌合保持部材１６の上からは、断面が略Ｃ形状の固定部材１７が被せられる。このように、嵌合保持部材１６をシート部材１５の上からサイロ１の嵌合部３の円弧状周面部９に嵌合させた後、固定部材１７で固定した様子は、図２（ｂ）に示されるようになり、サイロ１内は密閉環境となる。
【００２０】
この密閉環境下では、外部の空気のサイロ１の内部への流入を遮断することができるので、良質なサイレージを得ることが可能となる。また、このような密閉環境下で、サイロ１の下部の下方排出部１０の蓋部材１４を外せば、内部に蓄積された不要な水分や空気を適宜抜くことができるので、より密閉度を高めることも可能となる。
【００２１】
尚、容器本体２の上端縁部分において周回するように一体成型された嵌合部３と、容器本体２の下方に設けられた排出部１０は、例えば強化ポリエチレン（回転成形による）等で生成することができ、上記嵌合保持部材１６、及び固定部材１７も、ポリエチレンで生成することができる。但し、これに限定されないことは勿論である。また、嵌合保持部材１６は、円筒状のポリ塩化ビニールのパイプ管の内側をくり抜き、所定の長さ（サイロ１の上端の嵌合部３を一周する長さ）で切断して形成してもよいことは勿論である。
【００２２】
以下、図３のフローチャートを参照して、本考案の第１実施形態に係るサイロシステムを用いたサイレージ生成方法について説明する。
【００２３】
先ずサイロ１に原料となる飼料用作物（トウモロコシ、飼料米等）を入れる（Ｓ１）。このとき、飼料用作物の発酵を促進させるために、その水分量の調整や乳酸菌などの添加物を投入するなどしてもよい。続いて、サイロ１の上面を覆うようにシート部材１５を被せる（Ｓ２）。このとき、サイロ１の上端の嵌合部３にシート部材１５が均等にバランスよく被さるようにするとよい。続いて、シート部材１５の上から、サイロ１の上端の嵌合部３の円弧状周面部９に嵌合保持部材１６を嵌合させる（Ｓ３）。より具体的には、嵌合保持部材１６の切れ込み部分からシート部材１５を介してサイロ１の嵌合部３の円弧状周面部９に被せていく。続いて、サイロ１の下部の下方排出部１０より内部の不要な空気や水分等を抜く（Ｓ４）。これによっても水分量の調整等が事後にできる。こうして、嵌合保持部材１６の端と端の繋ぎ目部分に固定部材１７を被せ、サイロ１内に完全な密閉状態を作り上げる（Ｓ５）。そして、飼料用作物の発酵を進め、長期保存可能とする（Ｓ６）。こうしてサイロ１に詰められた飼料用作物は、嫌気性菌による発酵により乳酸や酢酸などの有機酸の成分比率を増やし、ｐＨが低くなることで、牧草の腐敗の原因となるカビや好気性菌類の活動を抑え長期保存が可能なサイレージとなる。
【００２４】
このように、第１実施形態では、嵌合部３により、高い気密性を実現し、例えば飼料用米に水分や糖蜜、乳酸菌を添加して嫌気性発酵を行うのに好適なサイロ、及びサイロシステムを提供することができる。
【００２５】
＜第２実施形態＞
図４には、本考案の第２実施形態に係るサイロの構成を示し説明する。具体的には、図４（ａ）は当該サイロの全体構成を示し、図４（ｂ）は図４（ａ）の領域Ｂの拡大図に相当し、当該サイロの嵌合部の断面構成を示している。サイロの下方排出部の断面構成は図１（ｃ）と同様である。
【００２６】
先ず、図４（ａ）に示されるように、サイロ２０の容器本体２３は、円錐台を上下逆さにした全体形状を呈しており、上部開口で側面及び底面を有し内部は中空となっている。この容器本体２３の上端縁部分には、所定の突出形状を含む嵌合部２１が形成されている。この嵌合部２１は、突出部３１の一部をなす。更に、容器本体２３の下方には、サイロ内部の不要な空気や水を排出するための下方排出部２２が形成されている。これら嵌合部２１や下方排出部２２は、容器本体２３と一体成型されている。この第２実施形態のサイロ２０は側面部２４よりも突出した突出部３１を有しているので、フォークリフトのロールグラブ等によりサイロを把持したときに、ロールグラブの上端が突出部３１に係止し、把持状態を安定的に維持することが可能となっている。この突出部３１は、容器本体２３の一部をなし、側面部２４よりも大きな内径で周回した構成となっている。
【００２７】
そして、図４（ｂ）に示されるように、容器本体２３の上端縁部分において周回するように形成された嵌合部２１は、詳細には次のような構成となっている。即ち、容器本体２３の上端縁部分において、側面部２４よりも外周方向に隆起した隆起部３０に接続されるように嵌合部２１が形成されている。側面部２４よりも突出した第１突出部２５、第２突出部２６が形成されている。そして、第１突出部２５から外周方向に底面に平行に延びた第１延出部２７の外端部分が略円弧状の周面を形成する円弧状周面部２９の一端に接続され、第２突出部２６から外周方向に底面に平行に延びた第２延出部２８の外端部分が当該円弧状周面部２９の他端に接続されている。このような関係で、第１突出部２５、第１延出部２７、円弧状周面部２９、第２延出部２８、第２突出部２６が連続して、突出形状を含む嵌合部２１を形成する。この嵌合部２１には、前述した第１実施形態と同様に、シート部材を間に介在させて、嵌合保持部材、更には固定部材が取り付けられる。
【００２８】
このように、第２実施形態では、サイロ２０の上端に所定幅の突出部３１を側面を周回するように設けたので、例えばフォークリフトのロールグラブ等でサイロ２０を把持したときに、当該ロールグラブの上端が突出部３１に係止されるので、安定した把持状態を維持することができ、移動中にサイロの把持が弱まり落下するような事態を防止することができる。また、突出部３１は、側面を周回するように連続して形成されているので、どの角度から把持しても、同じような効果を得ることが可能である。但し、周回させずに、側面の一部において突出部３１を設けるようにしてもよい。
【００２９】
＜第３実施形態＞
図５には、本考案の第３実施形態に係るサイロの構成を示し説明する。具体的には、図５（ａ）は当該サイロの全体構成を示し、図５（ｂ）は図５（ａ）の領域Ｃの拡大図に相当し、当該サイロの係止部の断面構成を示している。サイロの下方排出部の断面構成は図１（ｃ）と同様である。
【００３０】
図５（ａ）に示されるように、サイロ４０の容器本体４３は、円錐台を上下逆にした全体形状を呈しており、上部開口で側面及び底面を有し内部は中空となっている。この容器本体４３の上端縁部分には、所定の突出形状を含む嵌合部４１が形成されている。嵌合部４１の形状は、第１実施形態と同様である。容器本体４３の下方には、サイロ内部の不要な空気や水を排出するための下方排出部４２が形成されている。これら嵌合部４１や下方排出部４２は、容器本体４３と一体成型されている。この第３実施形態のサイロ４０は側面部４４，４６の間に、側面部の内径よりも小さな内径で周回する係止部４５を備えている点が第１実施形態と異なる。このように係止部４５を有しているので、フォークリフトのロールグラブ等によりサイロを把持したときに、ロールグラブが係止部４５の窪みの中に納まり、少なくとも上端が係止部４５の上面に係止し、把持状態を安定的に維持することが可能となっている。この係止部４５は、容器本体４３の一部をなしている。
【００３１】
図５（ｂ）には、係止部４５の様子を拡大して示し説明する。図５（ｂ）に示されるように、係止部４５は、容器本体４３の側面部４４から連続し底面に平行な方向に容器内部に向かって延出する第１延出部４５ａを備え、第１延出部４５ａの一端は再び底面に鉛直な方向に下方に向けて延びる係止側面部４５ｂの一端に連続している。係止側面部４５ｂの高さ方向の幅は、例えばフォークリフトのロールグラブで把持するのに好適な幅となっている。係止側面部４５ｂの下方の他端は、側面部４６から連続し底面に平行な方向に容器内部に向かって延出する第２延出部４５ｃの一端に接続されている。そして、この第２延出部４５ｃの他端は側面部４６に連続している。尚、この例では、容器本体４３が円錐台を上下逆にした全体形状を呈している例を示したので、側面部４４，４６は所定の傾斜を有しているが、これに限定されず、側面部４４，４６が傾斜を有していない容器本体４３に対して係止部４５を形成してもよいことは勿論である。
【００３２】
このように、第３実施形態では、サイロ４０の容器本体４３の側面部に、例えばフォークリフトのロールグラブ等で把持するのに好適な幅の係止部４５を容器本体４３の内部に窪むように形成したので、フォークリフト等により把持して移動させるときに、把持された状態を安定的に維持することができる。このとき、係止部４５は、この例では、側面部を周回するように形成したので、どの角度から把持しても同じ効果を得ることが可能となる。但し、周回させずに、サイロの側面の一部においてフォークリフトのロールグラブ等で把持するのに好適な面積の窪み部を設けるようにしてもよい。
【００３３】
＜第４実施形態＞
図６には、本考案の第４実施形態に係るサイロの構成を示し説明する。具体的には、図６（ａ）は当該サイロの全体構成を示し、図６（ｂ）は図６（ａ）の領域Ｄの拡大図に相当し、当該サイロの下面凹部の断面構成を示している。サイロの下方排出部の断面構成は図１（ｃ）と同様である。
【００３４】
図６（ａ）に示されるように、サイロ５０の容器本体５３は、円錐台を上下逆にした全体形状を呈しており、上部開口で側面及び底面を有し内部は中空となっている。この容器本体５３の上端縁部分には、所定の突出形状を含む嵌合部５１が形成されている。嵌合部５１の形状は、第１実施形態と同様である。容器本体５３の下方には、サイロ内部の不要な空気や水を排出するための下方排出部５２が形成されている。これら嵌合部５１や下方排出部５２は、容器本体５３と一体成型されている。この第４実施形態のサイロ５０は底面に２か所、直線的に平行に延びる下面凹部５５，５６を備えている点が第１実施形態と異なる。このように下面凹部５５，５６を有しているので、フォークリフトの２本のフォーク等によりサイロを持ち上げるときに、フォークが下面凹部５５，５６の中に納まり下面凹部５５，５６の両側面によりずれないように保持されるので、載置状態を安定的に維持することが可能となっている。
【００３５】
図６（ｂ）には、下面凹部５５（５６）の様子を拡大して示し説明する。図５（ｂ）に示されるように、サイロ５０の底面部５５ａから鉛直方向に延びる凹部側面部５５ｂを備えており、当該凹部側面部５５ｂの上端は底面に平行な凹部底面部５５ｃの一端に連続している。そして、凹部底面部５５ｃの他端は底面に対して下方に鉛直に延びる凹部側面部５５ｄの上端に連続し、当該凹部側面部５５ｄの下端は底面に平行な底面部５５ｅに連続している。このように、凹部側面部５５ｂ、凹部底面部５５ｃ、凹部側面部５５ｄが連続するように形成されることで、所定の深さの下面凹部５５（５６）が形成される。この下面凹部５５（５６）の深さ、及び幅は、例えばフォークリフトのフォークのサイズに好適なように設計されている。
【００３６】
このように、第４実施形態では、サイロ５０の容器本体５３の底面に、例えばフォークリフトのフォークで持ち上げるときに好適な下面凹部５５（５６）を容器本体５３の内部に窪むように形成したので、フォークリフト等のフォークの上に載置して移動させるときに、載置した状態を安定的に維持することができる。
【００３７】
以上詳述したように、本考案の第１乃至第４実施形態に係るサイロ、及びサイロシステムによれば以下の効果が奏される。
（１）サイロに一体成型された嵌合部とフレキシブルな材質の嵌合保持部材との嵌合による簡易な工程で、サイロをシート部材により簡単に密封することができ、飼料用作物のサイレージ化を経て、良質なサイレージを得ることができる。
（２）サイロは、その素材が例えば強化ポリエチレン等でできているため、サイレージ保管中に破損が生じ難い。
（３）サイロに一体成型された嵌合部と嵌合保持部材との嵌合を解除し、再び嵌合させるだけの簡易な工程で、サイロの再密封が簡単にできる。
（４）二次発酵を抑えるため、専用の中仕切りをサイロ内部に置くこともできる。
（５）サイロの下方に設けられた下方排出部を介してサイロ内の空気等を抜くことにより、更に密封度を上げることができ、余分な水分を抜くこともできる。
（６）サイロの上方縁部分付近に突出部を設けることで、フォークリフトのロールグラブ等による把持の安定性を高めることができる。
（７）サイロの側面部の一部に内部に向かって窪んだ係止部を設けることで、フォークリフトのロールグラブ等による把持の安定性を高めることができる。
（８）サイロの底面の一部に２本の下面凹部を設けることで、フォークリフトの２本のフォークへの載置の安定性を高めることができる。
（９）このほか、上記突出部、あるいは窪んだ係止部は、吊り下げのときにフックが引っ掛かる部位として活用することもできる。
【００３８】
以上、本考案の第１乃至第４実施形態に係るサイロ、及びサイロシステムについて説明したが、本考案は、これに限定されることなく、その趣旨を逸脱しない範囲で種々の改良・変更が可能であることは勿論である。例えば、上記実施形態では、１つの嵌合保持部材により密閉状態を作り上げる例を示したが、２つ以上の嵌合保持部材を用いて、各接続端を複数の固定部材で固定するようにしてもよい。
【符号の説明】
【００３９】
１  サイロ
２  容器本体
３  嵌合部
４  側面部
５  第１突出面部
６  第２突出面部
７  第１延出部
８  第２延出部
９  円弧状周面部
１０  下方排出部
１１  凹部側面部
１２  突出部
１３  開口面
１４  蓋部材
１５  シート部材
１６  嵌合保持部材
１７  固定部材
【図１】
0003197813.tif 000003
【図２】
0003197813.tif 000004
【図３】
0003197813.tif 000005
【図４】
0003197813.tif 000006
【図５】
0003197813.tif 000007
【図６】
0003197813.tif 000008